(57)【要約】      （修正有）【課題】隠しファスナーを縫い付ける布の縫い止まりとの位置決めが容易で、針先も見やすく、正逆双方向の縫いが不要で、また、隠しファスナーのアイロン矯正も不要となる隠しファスナー押え金を提供する。【解決手段】取付基部と、押え金脚部２とを備え、押え金脚部２は、取付基部の軸支部分の直前に、着脱可能に設置されたファスナー務歯収容部３と、その直前となる位置にミシン針の針先を中心とする上に開いた半円錐状の針逃がし孔４と、その前方に上方に屈曲した先端傾斜部２ａとを備え、ファスナー務歯収容部３に隠しファスナーＦＣの務歯Ｆｅを収容するとファスナーＦＣの幅方向の縫い付け位置が規定され、針逃がし孔４は縫製者が針先を見やすいように構成されている。【選択図】図２
0003166982.tif 000002
【実用新案登録請求の範囲】
【請求項１】
ファスナーの一種であって、少なくとも、相対向してかみ合う多数の務歯と、この務歯を側縁に備えたテープ部と、前記務歯の一方端の左右を固定する下止と、前記務歯を噛み合わせ及び噛み合わせ解除させるスライダーとを備え、布への縫製後は表側から前記ファスナーが見えないように構成されている隠しファスナーを布の側部に縫いつける際にこの隠しファスナーと前記布とを押さえる隠しファスナー押え金であって、
ミシンの布押さえ棒の取付部に着脱交換可能に取り付けられる取付基部と、この取付基部に対して上下回動可能で上方向に付勢されて軸支され前記隠しファスナ−のテープ部と前記布の側部とを押さえる押え金脚部とを備え、
前記押え金脚部は、前記取付基部の軸支部分の直前に、着脱可能に設置されたファスナー務歯収容部と、その直前となる位置にミシン針の針先を中心とする上に開いた半円錐状の針逃がし孔と、その前方に上方に屈曲した先端傾斜部とを備え、
ファスナー務歯収容部に隠しファスナーの務歯を収容すると、該ファスナーの幅方向の縫い付け位置が規定され、前記針逃がし孔は縫製者が前記針先を見やすいように構成されていることを特徴とする隠しファスナー押え金。
【請求項２】
ファスナー務歯収容部は、弾性のある金属板で製され、ファスナーの務歯部を覆う逆Ｕ字状の務歯ガイドと、この務歯ガイドの一端から横方向に伸びた取付部と、この取付部を着脱可能に押え金脚部に固定設置する固定手段とを備えている請求項１記載の隠しファスナー押え金。
【考案の詳細な説明】
【技術分野】
【０００１】
本考案は、ミシンの布押さえ棒の取付部に着脱交換可能に設置され、布の側部に隠しファスナーを縫いつける際に、この隠しファスナーと前記布とを押さえる隠しファスナー押え金に関する。
【背景技術】
【０００２】
ファスナーは、ジッパーあるいはチャックとも呼ばれ、衣服等の繊維製品や、袋物、カバン等に多数もちいられ、設置部分の開け閉めをすることができる便利なものである。このファスナーには、ファッション性を重視して、設置した布の表面側からは、その務歯（エレメントとも呼ばれ、相対向して噛み合いまたは噛み合いが解除されて、設置部分を開け閉めするもの。）を含め、ファスナー全体が見えなくなる隠しファスナーと呼ばれるものがある。
【０００３】
この隠しファスナーを衣服等に縫製する場合に、専用の隠しファスナー押え金が用いられるが、すでに多くの形状のものが提供されており、図６（ａ）、（ｂ）は、そのような本発明の背景技術となる隠しファスナー押え金を例示する外観斜視図である。
【０００４】
図６（ａ）は、現在、一般に使われている隠しファスナー押え金２０を示すもので、ミシンの布押さえ棒の取付部に着脱交換可能に設置される取付部１１と、この取付部１１に上下回動可能に軸支され、隠しファスナーとこのファスナーを縫い付ける布とを押さえる押え金脚部１２と、隠しファスナーの務歯を縫製の邪魔にならないように覆って逃がすファスナー務歯収容部１３Ａ、１３Ｂと、縫製のミシン針が貫通するミシン針孔１４とが備わっている。
【０００５】
取付部１１には、ミシンの布押さえ棒の取付部に対応した取付凹所１１ａが備えられ、押え金脚部１２には、左右一対のファスナー務歯収容部１３Ａ、１３Ｂの真ん中から前方に伸び出し、隠しファスナーの務歯に滑り接触してガイドするガイド部１２ａが備えられている。
【０００６】
しかし、この隠しファスナー押え金２０では、針孔１４が針の周囲を完全に覆うので、針位置を確認しにくい、後述するように、左右一対の一方のファスナーを縫い付ける場合の縫い始めに逆方向の縫いと正方向の縫いとの双方が必要である、加えて、縫製の対象とする隠しファスナーを前もって、アイロンで矯正しておく必要がある、といった問題があった。
【０００７】
図６（ｂ）に示す隠しファスナー押え金３０は、特許文献１に記載されたもので、図６（ａ）の隠しファスナー押え金２０と同じ、取付部２１と、取付凹所２１ａと、押え金脚部２２と、隠しファスナーの務歯を倒す押え部２５と、ここで押さえられた務歯を上からガイドするＬ字型ガイド２３と、このＬ字型ガイド２３の後方となる位置に設けられた針通し溝２４とを備えている。押え金脚部２２の先端は、上方に傾斜した先端傾斜部２２ａとなっている。
【０００８】
しかし、この隠しファスナー押え金３０によれば、押え部２５で務歯を倒しているので、アイロン矯正は不要なようであるが、隠しファスナーでは重要な、縫製しようとする布に既に形成されている縫い止まりとの関係の記載もなく、また、針通し溝２４がＬ字型ガイド２３の奥側にあるので、針先が見にくく、縫い始めの位置決めがしにくいという問題があった。
【先行技術文献】
【特許文献】
【０００９】
【特許文献１】特開平１１−１９３５９号公報（図１）
【考案の概要】
【考案が解決しようとする課題】
【００１０】
本考案は、上記問題を解決しようとするもので、隠しファスナーを縫い付ける布の縫い止まりとの位置決めが容易で、針先も見やすく、正逆双方向の縫いが不要で、また、隠しファスナーのアイロン矯正も不要となる隠しファスナー押え金を提供することを目的としている。
【課題を解決するための手段】
【００１１】
本発明の隠しファスナー押え金は、ファスナーの一種であって、少なくとも、相対向してかみ合う多数の務歯と、この務歯を側縁に備えたテープ部と、前記務歯の一方端の左右を固定する下止と、前記務歯を噛み合わせ及び噛み合わせ解除させるスライダーとを備え、布への縫製後は表側から前記ファスナーが見えないように構成されている隠しファスナーを布の側部に縫いつける際にこの隠しファスナーと前記布とを押さえる隠しファスナー押え金であって、
ミシンの布押さえ棒の取付部に着脱交換可能に取り付けられる取付基部と、この取付基部に対して上下回動可能で上方向に付勢されて軸支され前記隠しファスナーのテープ部と前記布の側部とを押さえる押え金脚部とを備え、前記押え金脚部は、前記取付基部の軸支部分の直前に、着脱可能に設置されたファスナー務歯収容部と、その直前となる位置にミシン針の針先を中心とする上に開いた半円錐状の針逃がし孔と、その前方に上方に屈曲した先端傾斜部とを備え、
ファスナー務歯収容部に隠しファスナーの務歯を収容すると、該ファスナーの左右方向の縫い付け位置が規定され、前記針逃がし孔は縫製者が前記針先を見やすいように構成されていることを特徴とするので、隠しファスナーの務歯をファスナー務歯収容部に収容させるだけで、左右の縫製位置が位置決めされ、針逃がし孔は縫製者が前記針先を見やすいようになっているので、隠しファスナーを縫い付ける布の縫い止まりへの位置決めが容易で、正逆双方向の縫いが不要となる。
また、本発明の隠しファスナー押え金のファスナー務歯収容部は、弾性のある金属板で製され、ファスナーの務歯を覆う逆Ｕ字状の務歯ガイドと、この務歯ガイドの一端から横方向に伸びた取付部と、この取付部を着脱可能に押え金脚部に固定設置する固定手段とを備えているので、隠しファスナーのアイロン矯正も不要となる。
【考案の効果】
【００１２】
上記、手段に記載した通りである。
【図面の簡単な説明】
【００１３】
【図１】本発明の隠しファスナー押え金の一例を示すもので、（ａ）は、その正面図、（ｂ）は、その上面図、（ｃ）は、その前面図、（ｄ）は押え金脚部の先端が最も下になった状態の正面図、（ｅ）は、ファスナー務歯収容部の拡大上面図、（ｆ）は、同正面図、（ｇ）は同取付部分を示す前面図
【図２】（ａ）は、図１の隠しファスナー押え金を使用して縫製する場合の縫い始めの状態を示す外観斜視図、（ｂ）は、（ａ）の状態から同じ方向に縫製が進んでいる状態を示す外観斜視図
【図３】（ａ）は、従来の図６（ａ）に示した隠しファスナー押え金を使用して縫製する場合の縫い始めの状態を示す外観斜視図、（ｂ）は（ａ）の方向での一定距離の縫製後、布と隠しファスナーを逆方向にして縫製し始める状態を示す外観斜視図、（ｃ）は、（ｂ）の状態から同じ方向に縫製が進んでいる状態を示す外観斜視図
【図４】（ａ）は、図１の隠しファスナー押え金で縫製する隠しファスナーの正面図、（ｂ）は、（ａ）のＡＡ断面矢視図、（ｃ）は、本発明の隠しファスナー押え金のファスナー務歯収容部が（ｂ）の状態の務歯を無理なく収容している状態を示す要部図、（ｄ）は、従来の隠しファスナー押え金で縫製する隠しファスナーの正面図、（ｅ）は、（ｄ）のＢＢ断面矢視図、（ｆ）は、従来の隠しファスナー押え金のファスナー務歯収容部が（ｄ）の状態の務歯を収容している状態を示す要部図
【図５】（ａ）は、図１の隠しファスナー押え金で縫製した場合の縫製後の布の表面を示す外観斜視図、（ｂ）従来の隠しファスナー押え金で縫製した場合の縫製後の布の表面を示す外観斜視図
【図６】（ａ）、（ｂ）は、本発明の背景技術となる隠しファスナー押え金を例示する外観斜視図
【符号の説明】
【００１４】
１        取付基部
２        押え金脚部
２ａ      先端傾斜部
３        ファスナー務歯収容部
３ａ      務歯ガイド
３ｂ      取付部
３ｃ      固定手段
４        針逃がし孔
１０        隠しファスナー押え金
Ｃ１、Ｃ２      布（ファスナー取付対象）
ＣＥ      縫い止まり
ＣＳ１，ＣＳ２      布の側部（表側）
ＣＢ２      布の裏側
ＦＣ      隠しファスナー
Ｆｔ      テープ部
Ｆｅ      務歯
Ｆｄ      下止
Ｆｓ      スライダー
【考案を実施するための形態】
【００１５】
以下に、本考案の実施の形態について、図面を用いて説明する。
＜実施形態１＞
【００１６】
図１は、本発明の隠しファスナー押え金の一例を示すもので、（ａ）は、その正面図、（ｂ）は、その上面図、（ｃ）は、その前面図、（ｄ）は押え金脚部の先端が最も下になった状態の正面図、（ｅ）は、ファスナー務歯収容部の拡大上面図、（ｆ）は、同正面図、（ｇ）は同取付部分を示す前面図である。
【００１７】
この隠しファスナー押え金１０は、隠しファスナーを布の側部に縫いつける際にこの隠しファスナーと前記布とを押さえるためのもので、ミシンの布押さえ棒の取付部に着脱交換可能に取り付けられる取付基部１と、この取付基部１に対して上下回動可能で上方向に付勢されて軸支され前記隠しファスナ−のテープ部と前記布の側部とを押さえる押え金脚部２とを備えている。
【００１８】
この押え金脚部２は、取付基部１の軸支部分の直前に、着脱可能に設置されたファスナー務歯収容部３と、その直前となる位置にミシン針の針先を中心とする上に開いた半円錐状の針逃がし孔４と、その前方に上方に屈曲した先端傾斜部２ａとを備え、ファスナー務歯収容部３に隠しファスナーの務歯を収容すると、該ファスナーの左右方向の縫い付け位置が規定され、前記針逃がし孔４は縫製者が前記針先を見やすいように構成されている。
【００１９】
ファスナー務歯収容部３は、弾性のある金属板で製され、ファスナーの務歯部を覆う逆Ｕ字状の務歯ガイド３ａと、この務歯ガイド３ａの一端から横方向に伸びた取付部３ｂと、この取付部３ｂを着脱可能に押え金脚部２に固定設置する固定手段３ｃとを備えている。
【００２０】
ファスナー務歯収容部３の務歯ガイド３ａと取付部３ｂとは同じ金属板から成形されているが、その素材としては、弾性と成形性の良いバネ綱板や、黄銅綱板や、銅板、ステンレス綱板、チタン板、チタン合金板、ジュラルミン板、アルミ合金板などが好適である。
【００２１】
固定手段３ｃは、この例では、十字孔付き小ネジを用いているが、取付部３ｂを着脱可能に押え金脚部２に固定設置することができるものであればよく、この例示のものに限定されない。
【００２２】
ファスナー務歯収容部３と針逃がし孔４との位置関係及び針逃がし孔４の形状は、本願では非常に重要であるが、それについては、図２を用いて詳しく説明する。なお、取付基部１には、背景技術と同様な取付凹所１ａと、押え金脚部２を上下回動可能に軸支する軸支ネジ１ｂとが備えられている。
【００２３】
図２（ａ）は、図１の隠しファスナー押え金を使用して縫製する場合の縫い始めの状態を示す外観斜視図、（ｂ）は、（ａ）の状態から同じ方向に縫製が進んでいる状態を示す外観斜視図である。これより、既に説明した部分には同じ符号を付して重複説明を省略する。
【００２４】
図２に見えている隠しファスナーＦＣは、ファスナーの一種であって、少なくとも、相対向してかみ合う多数の務歯Ｆｅと、この務歯Ｆｅを側縁に備えたテープ部Ｆｔと、前記務歯Ｆｅの一方端の左右を固定する下止Ｆｄと、前記務歯Ｆｅを噛み合わせ及び噛み合わせ解除させるスライダーＦｓとを備え、ファスナーを付ける布Ｃ１、Ｃ２への縫製後は表側から前記隠しファスナーＦＣが見えないように構成されている。
【００２５】
また、この隠しファスナーＦＣを縫い付ける布Ｃ１、Ｃ２は、予め隠しファスナーＦＣを縫い付ける前に相互にある幅の余分部分である側部ＣＳ１，ＣＳ２を残して縫い合わされており、その縫い止まりＣＥ（「×」で示す。）が決められている。この縫い止まりから先の部分は、隠しファスナーＦＣを開いた際には、相互に分かれ、閉じた場合には、境目だけが布Ｃの表面に表れ、隠しファスナーＦＣは見えないように構成されているものである。
【００２６】
ここで、図２（ａ）は、本発明の隠しファスナー押え金１０で隠しファスナーＦＣの一方側を布Ｃ１，Ｃ２の一方側の布Ｃ１に縫い付け始める位置にある状態を示している。ここで、ファスナー務歯収容部３に隠しファスナーＦＣの務歯Ｆｅを収容すると、該ファスナーＦＣの幅方向の縫い付け位置が規定され、前記針逃がし孔４は縫製者が前記針先を見やすいように構成されているので、縫い始めである縫い止まりＣＥの位置も非常に見やすく、位置決めがしやすくなっているのが解る。
【００２７】
隠しファスナーＦＣの縫い付けにおいては、このような状態で縫い付け始めすることが求められるが、本発明の隠しファスナー押え金１０では、ファスナー務歯収容部３に隠しファスナーＦＣの務歯Ｆｅを収容すると、該ファスナーＦＣの幅方向の縫い付け位置、つまり、ミシン針の左右方向の位置が規定され、前記針逃がし孔４はその上開きの半円錐形状によって縫製者の方に向けて開かれており、前記針先が見やすいので、その縫い付け始めの位置決めが簡単に出来、その後は、図２（ｂ）に示すように、一方向に縫い続けるだけで、隠しファスナーＦＣの布Ｃ１への縫い付けができる。
【００２８】
なお、図２では、隠しファスナーＦＣを縫い付ける側の布の表面ＣＳ１が、隠しファスナーＦＣの務歯Ｆｅの内側に見えているが、隠しファスナーＦＣを縫い付ける側の布は、折り返した側部ＣＳ１と、布の表面ＣＳ１とが同一側となるようにしなければ、縫製できないのである。なお、ＣＢ２は布Ｃ２の裏面を示す。
【００２９】
図３（ａ）は、従来の図６（ａ）に示した隠しファスナー押え金を使用して縫製する場合の縫い始めの状態を示す外観斜視図、（ｂ）は（ａ）の方向での一定距離の縫製後、布と隠しファスナーを逆方向にして縫製し始める状態を示す外観斜視図、（ｃ）は、（ｂ）の状態から同じ方向に縫製が進んでいる状態を示す外観斜視図である。
【００３０】
図６（ａ）に示した隠しファスナー押え金２０の場合、押え金脚部１２の幅が広すぎるため、押え金脚部１２の後端を隠しファスナーＦＣをスライダーＦｓの前端側とした状態では縫うことが難しく、図３（ａ）に示すように、ミシン針孔１４がスライダーＦｓに向く方向でまず、縫い止まりＣＥから一定距離離れた位置から、縫い止まりＣＥに達する位置まで縫い付ける必要がある。この際、目安とするものがないので、縫い止まりＣＥに達する位置まで縫い付けたかどうかを判断するのには、長年の経験が必要となり、また、毎回正確に縫い止まりに一致したかどうかは１００％達成できるものではない。
【００３１】
ついで、図３（ｂ）、（ｃ）に示すように、布Ｃと隠しファスナーＦＣとを反転させて、縫い止まりの位置から順方向に縫い付けることができる。しかし、上述したように、この隠しファスナー押え金２０を用いる場合、逆方向と順方向との方向転換が必要で、また、縫い止まりの位置合わせも経験が必要なもので、確実性に劣るものである。
【００３２】
図４（ａ）は、図１の隠しファスナー押え金で縫製する隠しファスナーの正面図、（ｂ）は、（ａ）のＡＡ断面矢視図、（ｃ）は、本発明の隠しファスナー押え金のファスナー務歯収容部が（ｂ）の状態の務歯を無理なく収容している状態を示す要部図、（ｄ）は、従来の隠しファスナー押え金で縫製する隠しファスナーの正面図、（ｅ）は、（ｄ）のＢＢ断面矢視図、（ｆ）は、従来の隠しファスナー押え金のファスナー務歯収容部が（ｄ）の状態の務歯を収容している状態を示す要部図でる。
【００３３】
図４（ａ）、（ｂ）に示す隠しファスナーＦＣは、市販の状態のままのものを示しており、テープ部Ｆｔに対して、務歯Ｆｅがややテープ部Ｆｔ側に倒れた状態となっている。本発明の隠しファスナー押え金１０では、ファスナー務歯収容部３の務歯ガイド３ａが弾性を有するものなので、この傾いた務歯Ｆｅに合わせて、多少変形して、受け入れることができるので、市販の隠しファスナーＦＣをそのまま使うことができる。
【００３４】
一方、背景技術の図６（ａ）の隠しファスナー押え金２０では、ファスナー務歯収容部１３Ａ、１３Ｂは、変形しないものなので、図４（ｄ），（ｅ）に示すように、市販の隠しファスナーＦＣの務歯部分にアイロンを当てて、ファスナー務歯収容部１３Ａ、１３Ｂに無理なく収容されるような状態の務歯Ｆｅ′とした隠しファスナーＦＣ′とする必要があり、余計な手間が必要とされていた。
【００３５】
図５（ａ）は、図１の隠しファスナー押え金で縫製した場合の縫製後の布の表面を示す外観斜視図、（ｂ）従来の隠しファスナー押え金で縫製した場合の縫製後の布の表面を示す外観斜視図である。
【００３６】
図５（ａ）では、図１の隠しファスナー押え金１０で縫製したので、方向転換がなく、よって、布Ｃの表面の縫い止まりＣＥ部分に、引きつり等の商品価値が下がるような不備が発生していない。また、最終的にファスナーの縫製が終了した後には、図示したように、下止Ｆｄを縫い止まりＣＥの部分まで移動させて、ペンチ等により固定して、完成品となる。
【００３７】
図５（ｂ）では、背景技術の隠しファスナー押え金２０で縫製したので、方向転換が必要であり、おそらく、そのために、布Ｃの表面の縫い止まりＣＥ部分に、引きつりＣＸ等の商品価値が下がるような不備が発生している。
【００３８】
なお、この完成品では、隠しファスナー押え金の縫い付け時には、よりファスナー端に有った下止ＦＤ１が縫い止まりＣＥの位置に来て、スライダ−が下止Ｆｄに当接した状態で、ファスナーが一番開かれた状態となるようにしている。
【００３９】
なお、本考案の隠しファスナー押え金は、上記の実施形態に限定されず、実用新案登録請求の範囲に記載された範囲、実施形態の範囲で、種々の変形例、組み合わせが可能である。
【産業上の利用可能性】
【００４０】
本考案の隠しファスナー押え金は、隠しファスナーを縫い付ける布の縫い止まりとの位置決めが容易で、針先も見やすく、正逆双方向の縫いが不要で、また、隠しファスナーのアイロン矯正も不要となることが要請される縫製産業等の産業分野に用いることができる。
【図１】
0003166982.tif 000003
【図２】
0003166982.tif 000004
【図３】
0003166982.tif 000005
【図４】
0003166982.tif 000006
【図５】
0003166982.tif 000007
【図６】
0003166982.tif 000008